(57)【要約】【課題】携帯鏡自体の位置を変更することなく、光を照射する位置を変更可能な照明付き携帯鏡を提供することを目的とする。【解決手段】蓋体２０と、ケース本体４０と、蓋体２０を回転可能に取り付ける蓋体支持部材６０と、蓋体支持部材６０とケース本体４０とを蓋体２０が開閉可能となるように枢着する回動軸７０と、回動軸７０と共軸的に回転可能に配設される照明部８０とから主に構成され、照明部８０を回転し、例えば、顔の任意の位置に光を自在に照射することができる。【選択図】図１
2007061424.tif 000002
【特許請求の範囲】
【請求項１】
一側縁に間隔をおいて一対の筒状の第１の軸受部が設けられた扁平状の筐体と、
前記筐体に対向可能な面に鏡が装着され、一側縁に、前記第１の軸受部の内側または外側になるように間隔をおいて一対の筒状の第２の軸受部が設けられた蓋体と、
前記第１の軸受部と前記第２の軸受部とを枢着し、前記筐体に対して前記蓋体を開閉可能とする回動軸と、
前記第１の軸受部または前記第２の軸受部間に配設され、前記第１の軸受部または前記第２の軸受部によって回転可能に支持された照明部と
を具備することを特徴とする照明付き携帯鏡。
【請求項２】
一側縁に間隔をおいて一対の筒状の第１の軸受部が設けられた扁平状の筐体と、
前記筐体に対向可能な面に鏡が装着され、一側縁に、前記第１の軸受部の内側または外側になるように間隔をおいて一対の筒状の第２の軸受部が設けられた蓋体支持部材と、
前記蓋体支持部材に、前記蓋体支持部材に対して回転可能に取り付けられ、前記筐体に対向可能な面に鏡が設けられた蓋体と、
前記第１の軸受部と前記第２の軸受部とを枢着し、前記筐体に対して前記蓋体を開閉可能とする回動軸と、
前記第１の軸受部または前記第２の軸受部間に配設され、前記第１の軸受部または前記第２の軸受部によって回転可能に支持された照明部と
を具備することを特徴とする照明付き携帯鏡。
【請求項３】
前記筐体の前記蓋体と対向する面に鏡が装着されていることを特徴とする請求項１または２記載の照明付き携帯鏡。
【請求項４】
前記照明部が、
側部に光を透過する光透過部を有する筒体と、
前記筒体の両端に突設され、前記第１の軸受部または前記第２の軸受部によって回転可能に支持される回転軸と、
前記筒体内に設けられ、前記光透過部を介して外部に向けて光を出射する光源を有する光源部と、
前記回転軸のそれぞれの側面に設けられ、前記光源部と電気的に接続された電極と、
前記各電極に電力を供給する電力供給部と、
前記筒体の側部に設けられた開口からその一端部を突出して配設され、前記光源を点灯させるスイッチと
を具備することを特徴とする請求項１乃至３のいずれか１項記載の照明付き携帯鏡。
【請求項５】
前記光源が、ＬＥＤであることを特徴とする請求項４記載の照明付き携帯鏡。
【発明の詳細な説明】
【技術分野】
【０００１】
本発明は、携帯鏡に照明を備えた照明付き携帯鏡に関する。
【背景技術】
【０００２】
従来の化粧用具として、例えば、化粧をする際に顔などに光を照射するための照明を備えた携帯鏡などがある（例えば、特許文献１参照。）。
【０００３】
この従来の携帯鏡は、開閉可能な蓋を備えた筐体で構成され、蓋の内面には鏡が設けられ、筐体内の所定位置に電球が設けられ、蓋と対向する筐体の光出射面より電球からの光を放出する構成を有している。
【特許文献１】特開平１１−４６８５５号公報
【発明の開示】
【発明が解決しようとする課題】
【０００４】
しかしながら、上記した従来の携帯鏡を用いる場合、例えば、顔などの所定の位置に光を照射する際には、携帯鏡を手で持って光出射面を所定の位置に移動しなければならず、さらに、鏡を同時に使用するときには、それに伴って鏡も適正な位置に調整する必要があり、不便であった。
【０００５】
そこで、本発明は、上記課題を解決するためになされたものであり、携帯鏡自体の位置を変更することなく、光を照射する位置を変更可能な照明付き携帯鏡を提供することを目的とする。
【課題を解決するための手段】
【０００６】
上記目的を達成するために、本発明の照明付き携帯鏡は、一側縁に間隔をおいて一対の筒状の第１の軸受部が設けられた扁平状の筐体と、前記筐体に対向可能な面に鏡が装着され、一側縁に、前記第１の軸受部の内側または外側になるように間隔をおいて一対の筒状の第２の軸受部が設けられた蓋体と、前記第１の軸受部と前記第２の軸受部とを枢着し、前記筐体に対して前記蓋体を開閉可能とする回動軸と、前記第１の軸受部または前記第２の軸受部間に配設され、前記第１の軸受部または前記第２の軸受部によって回転可能に支持された照明部とを具備することを特徴とする。
【０００７】
この照明付き携帯鏡によれば、回転可能に照明部を設けることで、例えば、顔の任意の位置に光を自在に照射することができる。また、蓋体が閉じられた状態でも、照明部を回転させることができるので、例えば、光透過部を照明付き携帯鏡の外側に向けて位置させ、簡易ライトとして使用することもできる。
【０００８】
また、本発明の照明付き携帯鏡は、一側縁に間隔をおいて一対の筒状の第１の軸受部が設けられた扁平状の筐体と、前記筐体に対向可能な面に鏡が装着され、一側縁に、前記第１の軸受部の内側または外側になるように間隔をおいて一対の筒状の第２の軸受部が設けられた蓋体支持部材と、前記蓋体支持部材に、前記蓋体支持部材に対して回転可能に取り付けられ、前記筐体に対向可能な面に鏡が設けられた蓋体と、前記第１の軸受部と前記第２の軸受部とを枢着し、前記筐体に対して前記蓋体を開閉可能とする回動軸と、前記第１の軸受部または前記第２の軸受部間に配設され、前記第１の軸受部または前記第２の軸受部によって回転可能に支持された照明部とを具備することを特徴とする。
【０００９】
この照明付き携帯鏡によれば、回転可能に照明部を設けることで、例えば、顔の任意の位置に光を自在に照射することができる。また、蓋体が閉じられた状態でも、照明部を回転させることができるので、例えば、光透過部を照明付き携帯鏡の外側に向けて位置させ、簡易ライトとして使用することもできる。また、蓋体を、蓋体支持部材に対して回転可能に取り付けているため、例えば、蓋体の表面に描かれた、または形成されたものを正規の向きに配置した状態で、照明付き携帯鏡をスタンド形状に変形することができる。
【発明の効果】
【００１０】
本発明の照明付き携帯鏡によれば、携帯鏡自体の位置を変更することなく、光を照射する位置を変更することができる。
【発明を実施するための最良の形態】
【００１１】
以下、本発明の実施の形態について図を参照して説明する。
【００１２】
図１は、本発明に係る一実施の形態の照明付き携帯鏡１０の分解斜視図である。図２は、照明部８０の断面図、図３は、照明部８０の分解斜視図である。図４は、電力供給ラインの概要を示す図である。図５は、照明付き携帯鏡１０を開いた状態を示す平面図である。図６は、回転可能に取り付けられた蓋体２０の側面を示す平面図、図７は、照明付き携帯鏡１０をスタンド形状に変形したときの斜視図である。
【００１３】
図１に示すように、照明付き携帯鏡１０は、蓋体２０と、ケース本体４０と、蓋体２０を回転可能に取り付ける蓋体支持部材６０と、蓋体支持部材６０とケース本体４０とを蓋体２０が開閉可能となるように枢着する回動軸７０と、回動軸７０と共軸的に回転可能に配設される照明部８０とから主に構成されている。
【００１４】
蓋体２０は、裏面側が開口された、扁平状の筐体２１で形成され、その表面に、例えばキャラクターなどが描かれ、または形成され、その裏面の開口部には、鏡２２が装着されている。また、この蓋体２０の裏面側には、鏡２２が装着された部分とは異なる部分に、蓋体支持部材６０に回動可能に蓋体２０を取り付けるための、内壁にねじ溝が形成されたねじ止め用筒体（図示しない）が形成されている。また、蓋体２０は、ＡＢＳ樹脂などの材料で形成されている。なお、蓋体２０は、ケース本体４０に対して、閉じた状態から回動軸７０を中心に２１０度程度開くことが可能となっている。
【００１５】
蓋体支持部材６０は、ＡＢＳ樹脂などの材料で形成され、平板をコ字状に形成したコ字状部材６１の両端側の一側縁に、所定の間隔をおいて一対の筒状の軸受部６２が設けられている。さらに、平板６１の中央には、蓋体２０の裏面側に形成されたたねじ止め用筒体（図示しない）と、Ｏリング６３を介して嵌合する、貫通孔を有する筒状の突起部６４が設けられている。蓋体２０は、この突起部６４の貫通孔を介して、ねじをねじ止め用筒体に螺合して、蓋体支持部材６０に回動可能に取り付けられる。図６に示すように、この蓋体２０は、蓋体支持部材６０に対して３６０度回転可能となっている。
【００１６】
また、図７に示すように、蓋体２０を開き、さらに、蓋体２０を、蓋体支持部材６０に対して１８０度回転させることで、照明付き携帯鏡１０をスタンド形状に変形することができる。また、蓋体２０の開く角度を調整することで、鏡４２の角度を調整することができる。さらに、蓋体２０を蓋体支持部材６０に対して１８０度回転させてスタンド形状にすることで、蓋体２０の表面のキャラクターなどを正規の向きに配置した状態で、スタンド形状を得ることができる。
【００１７】
ケース本体４０は、ＡＢＳ樹脂などの材料で形成され、蓋体２０の形状に対応した形状を有し、表面側が開口された、扁平状の筐体４１で構成されている。このケース本体４０の表面には、鏡４２が装着されている。なお、この筐体４１の凹部には、鏡４２以外にも、例えば、ファンデーションなどの化粧品が入れられた容器を装着してもよい。また、ケース本体４０の一側縁に、所定の間隔をおいて一対の筒状の軸受部４３が設けられている。この一対の軸受部４３の間隔は、上述した蓋体支持部材６０における一対の軸受部６２の間隔より小さく設定されている。具体的には、一対の軸受部４３が、蓋体支持部材６０における一対の軸受部６２の内側に、Ｏリング４４を介して接触するように、一対の軸受部４３の間隔は設定されている。そして、それぞれの軸受部に回動軸７０を嵌合して、ケース本体４０に対して蓋体２０を開閉可能に枢着する。ここで、Ｏリング４４を介して接触させることで、所定の抵抗を受けながら蓋体２０を回転させることができ、蓋体２０を任意の角度で確実に停止させることができる。
【００１８】
なお、ケース本体４０における一対の軸受部４３の内側に、Ｏリング４４を介して蓋体支持部材６０における一対の軸受部６２が接触するように、それぞれの一対の軸受部の間隔を設定してもよい。
【００１９】
また、ケース本体４０の側面には、２つのコイン型電池４５を搭載する電池ケース４６を挿入するための開口部４７が形成されている。電池ケース４６に搭載されたコイン型電池４５は、電池ケース４６に設けられた配線によって直列につながれている。また、図４に示すように、ケース本体４０内には、電池ケース４６の下部において、一端側が、電池ケース４６に搭載されたコイン型電池４５のそれぞれと接触するように、電気配線４８ａ、４８ｂが設けられている。電気配線４８ａの他端は、一対の軸受部４３のうちの一方の軸受部４３内に導出され、後述する照明部８０の一方の電極と接触する。また、電気配線４８ｂの他端は、一対の軸受部４３のうちの他方の軸受部４３内に導出され、後述する照明部８０の他方の電極と接触する。
【００２０】
さらに、図１および図５に示すように、鏡４２が装着された筐体４１の縁の所定の位置に、溝部が形成され、この溝部には、磁石片４９が埋め込まれている。また、この磁石片４９が埋め込まれた位置に対応する筐体２１の位置にも同様に磁石片２３が埋め込まれている。なお、ケース本体４０の磁石片４９と蓋体２０の磁石片２３とは、異なる極性を有しており、蓋体２０を閉じることで、それぞれの磁石片２３、４９が引き付け合い、蓋体２０を確実に閉じることができる。
【００２１】
また、一対の軸受部４３のそれぞれに、照明部８０の回転軸８１のそれぞれが軸支され、一対の軸受部４３の間には、Ｏリング８２を介して照明部８０が回転可能に配設されている。図５に示すように、照明部８０は、Ｏリング８２を介して一対の軸受部４３の間に配設されているので、所定の抵抗を受けながら照明部８０を回転させることができ、光を放出する光透過部８４を任意の位置に確実に停止させることができる。なお、照明部８０は、３６０度回転可能となっている。
【００２２】
図２および図３に示すように、照明部８０は、照明部本体８２と、この照明部本体８２内に設置された光源部８３と、光源部８３上に配設された光透過部８４と、照明部蓋体８５とから主に構成されている。
【００２３】
照明部本体８２は、両端に回転軸８６が形成された半筒体であり、例えば、ＡＢＳ樹脂 などの材料で形成されている。両端に形成された回転軸８６の側部には、周上に亘って電極８７が設けられている。この電極８７は、接続配線８８を介して光源部８３に電気的に接続されている。また、この電極８７は、一対の軸受部４３内にそれぞれ導出された電気配線４８ａ、４８ｂと接触し、電力を光源部８３に供給する。また、照明部本体８２の長手方向の一端側の表面には、照明部８０をスムーズに回転させるための凹凸部９２が形成されている。
【００２４】
光源部８３は、回路基板８９と、この回路基板８９上に搭載された光源９０と、図示しない制御部とから主に構成される。ここで、光源９０には、消費電力の小さい光源を用いるのが好ましく、例えば、ＬＥＤなどを用いるのが好ましい。ＬＥＤとして、白色の光を出射するものが好ましいが、用途に応じて他の色の光を出射するものを使用してもよい。また、図３および図４には、回路基板８９上に３つのＬＥＤが搭載された一例を示しているが、搭載するＬＥＤの数は、これに限られるものではない。光源９０としてＬＥＤを用いることで、電池容量の小さいコイン型電池を使用しても照明としての機能を十分に発揮することができる。
【００２５】
また、回路基板８９には、光源９０のＯＮ、ＯＦＦなどを行うスイッチ９１が搭載されている。さらに、回路基板８９は、接続配線８８を介して電極８７と電気的に接続されている。このスイッチ９１は、基本的には、光源９０をＯＮ、ＯＦＦさせるために押されるが、例えば、光源９０の点灯パターンを変えて光源９０を点灯させる制御機能を有する場合には、スイッチ９１を押す回数で点灯パターンの切り替えを行うようにしてもよい。
【００２６】
また、制御部は、例えば、演算装置（ＣＰＵ）、読み出し専用メモリ（ＲＯＭ）、ランダムアクセスメモリ（ＲＡＭ）などから主に構成され、例えば、光源９０の点灯パターンなどの制御を行う。
【００２７】
光透過部８４は、光源９０を覆うように、回路基板８９の上方に設けられる。この光透過部８４は、例えば、光源９０から出射された光を散乱させて外部に放出する光透過体などで構成され、具体的には、ＡＳ樹脂などの材料で形成される。なお、図３には、光源９０を覆うように光透過部８４が形成されているが、光透過部８４は、照明部蓋体８５の側面に形成された開口９３の形状に対応して板状に形成されてもよい。
【００２８】
照明部蓋体８５は、照明部本体８２に対応した形状に形成された半筒体であり、例えば、ＡＢＳ樹脂などの材料で形成されている。また、照明部蓋体８５には、光透過部８４の主面が、照明部蓋体８５の側面とほぼ同一面となるように光透過部８４を配置するための開口９３が形成されている。さらに、照明部蓋体８５には、スイッチ９１の一端部を照明部蓋体８５の側部から外部に突出させための開口９４が形成されている。また、照明部蓋体８５の長手方向の一端側の表面には、照明部本体８２の場合と同様に、照明部８０をスムーズに回転させるための凹凸部９２が形成されている。
【００２９】
上記した一実施の形態の照明付き携帯鏡１０によれば、回転可能に照明部８０を設けることで、例えば、顔の任意の位置に光を自在に照射することができる。また、蓋体２０が閉じられた状態でも、照明部８０を回転させることができるので、例えば、光透過部８４を照明付き携帯鏡１０の外側に向けて位置させ、簡易ライトとして使用することもできる。また、簡易ライトとして使用した後に、照明部８０を回転させて、スイッチ９１が外部に露出しないようにすることで、誤ってスイッチ９１がＯＮされ、光源９０から光が照射されるのを防止することができる。
【００３０】
また、蓋体２０を、蓋体支持部材６０に対して１８０度回転させることで、蓋体２０の表面のキャラクターなどを正規の向きに配置した状態で、照明付き携帯鏡１０をスタンド形状に変形することができる。
【００３１】
以上、本発明を一実施の形態により具体的に説明したが、本発明はこれらの実施形態にのみ限定されるものではなく、その要旨を逸脱しない範囲で種々変更可能である。
【００３２】
例えば、上記した一実施の形態の照明付き携帯鏡１０では、蓋体２０が蓋体支持部材６０に回転可能に取り付けられているが、照明付き携帯鏡１０は、この構成を備えなくてもよい。
【００３３】
この場合には、蓋体２０の一側縁に、所定の間隔をおいて一対の筒状の軸受部を設け、これらの軸受部と、ケース本体４０の一側縁に、所定の間隔をおいて設けられた一対の筒状の軸受部４３とに回動軸７０を嵌合して、ケース本体４０に対して蓋体２０を開閉可能に取り付けてもよい。
【００３４】
この構成を有する照明付き携帯鏡においては、回転可能に照明部８０を設けることで、例えば、顔の任意の位置に光を自在に照射することができる。また、蓋体２０が閉じられた状態でも、照明部８０を回転させることができるので、光透過部８４を照明付き携帯鏡１０の外側に向けて位置させ、簡易ライトとして使用することもできる。また、簡易ライトとして使用した後に、照明部８０を回転させて、スイッチ９１が外部に露出しないようにすることで、誤ってスイッチ９１がＯＮされ、光源９０から光が照射されるのを防止することができる。さらに、蓋体支持部材６０などの構成部品を削減することができるので、製作コストや製作工程の削減を図ることができる。
【図面の簡単な説明】
【００３５】
【図１】本発明に係る一実施の形態の照明付き携帯鏡の分解斜視図。
【図２】照明部の断面図。
【図３】照明部の分解斜視図。
【図４】電力供給ラインの概要を示す図。
【図５】一実施の形態の照明付き携帯鏡を開いた状態を示す平面図。
【図６】回転可能に取り付けられた蓋体の側面を示す平面図。
【図７】一実施の形態の照明付き携帯鏡をスタンド形状に変形したときの斜視図。
【符号の説明】
【００３６】
１０…照明付き携帯鏡、２０…蓋体、２１…筐体、２２、４２…鏡、４０…ケース本体、４１…筐体、４５…コイン型電池、４６…電池ケース、４７…開口部、４８ａ、４８ｂ…電気配線、２３、４９…磁石片、６０…蓋体支持部材、６１…コ字状部材、４３、６２…軸受部、４４、６３、８２…Ｏリング、６４…突起部、７０…回動軸、８０…照明部。
【図１】
2007061424.tif 000003
【図２】
2007061424.tif 000004
【図３】
2007061424.tif 000005
【図４】
2007061424.tif 000006
【図５】
2007061424.tif 000007
【図６】
2007061424.tif 000008
【図７】
2007061424.tif 000009